【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
媒体の搬送路に設けられた記録ヘッドと、
前記搬送路で搬送方向に前記媒体を搬送する搬送部と、
前記記録ヘッド、及び、前記搬送部を制御して、前記媒体の所定の記録開始位置から画像の記録を実行させる記録制御部と、
前記媒体の長さを検出する媒体長検出部と、
前記画像の長さを算出する画像長算出部と、
前記媒体への前記画像の記録に際し、前記媒体長検出部により検出された前記媒体の長さと、前記画像長算出部により算出された前記画像の長さと、に基づいて、前記記録開始位置を設定する記録開始位置設定部と、
を備えることを特徴とする記録装置。
【請求項２】
前記記録制御部は、前記画像の画像データを画像バッファーに展開し、展開した前記画像データに基づいて、前記媒体の所定の記録開始位置から前記画像の記録を開始させ、
前記媒体長検出部は、前記搬送部による搬送中の前記媒体の長さを算出し、
前記画像長算出部は、前記画像データに基づいて前記画像の長さを算出することを特徴とする請求項１に記載の記録装置。
【請求項３】
前記記録開始位置設定部は、
前記媒体の長さと、前記画像の長さとの差に対応する距離分、前記媒体の前端から離間した位置を前記記録開始位置として設定することにより、
前記記録開始位置を、前記媒体の後端に対応する位置に前記画像の後端が位置するように前記画像を記録するための位置とすることを特徴とする請求項２に記載の記録装置。
【請求項４】
前記記録開始位置設定部は、
前記媒体の長さと、前記画像の長さとに基づいて、前記媒体の中央部に画像を記録した場合の、前記媒体の前端と前記画像の前端との離間量を算出し、算出した離間量に基づいて前記記録開始位置を設定することにより、
前記記録開始位置を、前記媒体の中央部に前記画像が位置するように前記画像を記録するための位置とすることを特徴とする請求項２に記載の記録装置。
【請求項５】
前記記録開始位置設定部は、
前記媒体の長さと、前記画像の長さとの差に対応する距離分、前記媒体の前端から離間した位置を前記記録開始位置として設定することにより、前記記録開始位置を、前記媒体の後端に対応する位置に前記画像の後端が位置するように前記画像を記録するための位置とすることが可能であると共に、
前記媒体の長さと、前記画像の長さとに基づいて、前記媒体の中央部に前記画像を記録した場合の、前記媒体の前端と前記画像の前端との離間量を算出し、算出した離間量に基づいて前記記録開始位置を設定することにより、前記記録開始位置を、前記媒体の中央部に前記画像が位置するように前記画像を記録するための位置とすることが可能であり、
前記記録開始位置を、前記媒体の後端に対応する位置に、前記画像の後端が位置するように前記画像を記録するための位置に設定するか、又は、前記媒体の中央部に前記画像が位置するように前記画像を記録するための位置に設定するか、を指示に応じて切り替えることを特徴とする請求項２に記載の記録装置。
【請求項６】
前記搬送部は、前記搬送路で前記搬送方向と逆方向に前記媒体を搬送可能であり、
前記記録ヘッドよりも上流の前記搬送路に、前記媒体長検出部による前記媒体の長さの検出に使用されるセンサーを備え、
前記記録制御部は、
前記媒体の後端が前記センサーの下流側に通過し、前記媒体検出部による前記媒体の長さの検出が完了した時点で、前記記録開始位置が、前記記録ヘッドの下流側に通過した場合は、前記搬送部により前記媒体を前記搬送方向と逆方向に搬送し、前記記録開始位置を、前記記録ヘッドの上流側に位置させた後、前記画像の記録を実行させることを特徴とする請求項２ないし４のいずれかに記載の記録装置。
【請求項７】
媒体の搬送路に設けられた記録ヘッドと、搬送路で搬送方向に前記媒体を搬送する搬送部と、を備える記録装置を制御する制御装置であって、
前記記録ヘッド、及び、前記搬送部を制御して、前記媒体の所定の記録開始位置から画像の記録を実行させる記録制御部と、
前記媒体の長さを検出する媒体長検出部と、
前記画像の長さを算出する画像長算出部と、
前記媒体への前記画像の記録に際し、前記媒体長検出部により検出された前記媒体の長さと、前記画像長算出部により算出された前記画像の長さと、に基づいて、前記記録開始位置を設定する記録開始位置設定部と、
を備えることを特徴とする制御装置。
【請求項８】
媒体の搬送路に設けられた記録ヘッドと、
搬送路で搬送方向に前記媒体を搬送する搬送部と、
前記記録ヘッド、及び、前記搬送部を制御して、前記媒体の所定の記録開始位置から画像の記録を実行する記録制御部と、を備える記録装置の制御方法であって、
前記媒体の長さを検出し、前記画像の長さを算出し、
検出した前記媒体の長さと、算出した前記画像の長さと、に基づいて、前記記録開始位置を設定することを特徴とする記録装置の制御方法。
【手続補正２】
【補正対象書類名】明細書
【補正対象項目名】発明の名称
【補正方法】変更
【補正の内容】
【発明の名称】記録装置、制御装置、及び、記録装置の制御方法
【手続補正３】
【補正対象書類名】明細書
【補正対象項目名】０００１
【補正方法】変更
【補正の内容】
【０００１】
本発明は、媒体を搬送し、搬送中の媒体に記録する記録装置、当該記録装置を制御する制御装置、及び、当該記録装置の制御方法に関する。
【手続補正４】
【補正対象書類名】明細書
【補正対象項目名】０００５
【補正方法】変更
【補正の内容】
【０００５】
上記目的を達成するために、本発明は、記録装置であって、媒体の搬送路に設けられた記録ヘッドと、前記搬送路で搬送方向に前記媒体を搬送する搬送部と、前記記録ヘッド、及び、前記搬送部を制御して、前記媒体の所定の記録開始位置から画像の記録を実行させる記録制御部と、前記媒体の長さを検出する媒体長検出部と、前記画像の長さを算出する画像長算出部と、前記媒体への前記画像の記録に際し、前記媒体長検出部により検出された前記媒体の長さと、前記画像長算出部により算出された前記画像の長さと、に基づいて、前記記録開始位置を設定する記録開始位置設定部と、を備えることを特徴とする。  この構成によれば、記録装置は、媒体への画像の記録に際し、媒体の実際の長さと、媒体に記録すべき画像の実際の長さと、に基づいて、記録開始位置を設定可能である。このため、記録装置は、記録開始位置を、媒体の実際の長さ、及び、媒体に記録すべき画像の実際の長さと、媒体において画像を記録すべき領域と、の関係で適切な位置とすることが可能であり、これにより、媒体のサイズにかかわらず、媒体の画像を記録すべき領域に対応する適切な位置に、画像を記録することが可能となる。
なお、媒体の長さとは、媒体に、画像の記録が禁止されたマージンが形成されている場合は、そのマージンを加味した長さを示す。
また、本発明は、前記記録制御部は、前記画像の画像データを画像バッファーに展開し、展開した前記画像データに基づいて、前記媒体の所定の記録開始位置から前記画像の記録を開始させ、前記媒体長検出部は、前記搬送部による搬送中の前記媒体の長さを算出し、前記画像長算出部は、前記画像データに基づいて前記画像の長さを算出することを特徴とする。
【手続補正５】
【補正対象書類名】明細書
【補正対象項目名】０００６
【補正方法】変更
【補正の内容】
【０００６】
また、本発明は、前記記録開始位置設定部は、前記媒体の長さと、前記画像の長さとの差に対応する距離分、前記媒体の前端から離間した位置を前記記録開始位置として設定することにより、前記記録開始位置を、前記媒体の後端に対応する位置に前記画像の後端が位置するように前記画像を記録するための位置とすることを特徴とする。
この構成によれば、記録装置は、媒体の実際の長さと、画像の実際の長さとに応じて、記録開始位置を、媒体の後端に対応する位置に、画像の後端が位置するように画像を記録するための位置とすることが可能であり、媒体の後端部に形成された領域に画像を記録する際に、当該領域に対応する適切な位置に画像を記録することが可能となる。
なお、記録媒体の前端、後端とは、記録媒体の前端部や後端部に画像の記録が禁止されたマージンが形成されている場合は、このマージンを加味した概念である。
【手続補正６】
【補正対象書類名】明細書
【補正対象項目名】０００７
【補正方法】変更
【補正の内容】
【０００７】
また、本発明は、前記記録開始位置設定部は、前記媒体の長さと、前記画像の長さとに基づいて、前記媒体の中央部に画像を記録した場合の、前記媒体の前端と前記画像の前端との離間量を算出し、算出した離間量に基づいて前記記録開始位置を設定することにより、前記記録開始位置を、前記媒体の中央部に前記画像が位置するように前記画像を記録するための位置とすることを特徴とする。
この構成によれば、記録装置は、媒体の実際の長さと、画像の実際の長さとに応じて、記録開始位置を、媒体の中央部に画像を記録するための位置とすることが可能であり、媒体の中央部に形成された領域に画像を記録する際に、当該領域に対応する適切な位置に画像を記録することが可能となる。
【手続補正７】
【補正対象書類名】明細書
【補正対象項目名】０００８
【補正方法】変更
【補正の内容】
【０００８】
また、本発明は、前記記録開始位置設定部は、前記媒体の長さと、前記画像の長さとの差に対応する距離分、前記媒体の前端から離間した位置を前記記録開始位置として設定することにより、前記記録開始位置を、前記媒体の後端に対応する位置に前記画像の後端が位置するように前記画像を記録するための位置とすることが可能であると共に、前記媒体の長さと、前記画像の長さとに基づいて、前記媒体の中央部に前記画像を記録した場合の、前記媒体の前端と前記画像の前端との離間量を算出し、算出した離間量に基づいて前記記録開始位置を設定することにより、前記記録開始位置を、前記媒体の中央部に前記画像が位置するように前記画像を記録するための位置とすることが可能であり、前記記録開始位置を、前記媒体の後端に対応する位置に、前記画像の後端が位置するように前記画像を記録するための位置に設定するか、又は、前記媒体の中央部に前記画像が位置するように前記画像を記録するための位置に設定するか、を指示に応じて切り替えることを特徴とする。  この構成によれば、記録装置は、記録開始位置を、媒体における画像を記録するべき領域に応じた適切な位置とすることができる。
【手続補正８】
【補正対象書類名】明細書
【補正対象項目名】０００９
【補正方法】変更
【補正の内容】
【０００９】
また、本発明は、前記搬送部は、前記搬送路で前記搬送方向と逆方向に前記媒体を搬送可能であり、前記記録ヘッドよりも上流の前記搬送路に、前記媒体長検出部による前記媒体の長さの検出に使用されるセンサーを備え、前記記録制御部は、前記媒体の後端が前記センサーの下流側に通過し、前記媒体検出部による前記媒体の長さの検出が完了した時点で、前記記録開始位置が、前記記録ヘッドの下流側に通過した場合は、前記搬送部により前記媒体を前記搬送方向と逆方向に搬送し、前記記録開始位置を、前記記録ヘッドの上流側に位置させた後、前記画像の記録を実行させることを特徴とする。
ここで、記録ヘッドの搬送方向上流に設けたセンサーを利用して媒体の長さを検出する構成とした場合、記録ヘッドとセンサーとの距離、及び、媒体の長さの関係では、媒体の後端がセンサーを通過し、媒体の長さの検出が完了した時点で、媒体の記録開始位置が記録ヘッドを搬送方向側に通過し、記録開始位置からの記録の開始ができないという事態が生じ得る。このような場合であっても、上記構成によれば、記録装置は、搬送部により媒体を前記搬送方向と逆側に搬送して、記録開始位置を、記録ヘッドの位置よりも搬送方向上流側に位置させた後、画像の記録を実行するため、記録開始位置から画像の記録を開始することが可能である。
【手続補正９】
【補正対象書類名】明細書
【補正対象項目名】００１０
【補正方法】変更
【補正の内容】
【００１０】
また、上記目的を達成するために、本発明は、媒体の搬送路に設けられた記録ヘッドと、搬送路で搬送方向に前記媒体を搬送する搬送部と、を備える記録装置を制御する制御装置であって、前記記録ヘッド、及び、前記搬送部を制御して、前記媒体の所定の記録開始位置から画像の記録を実行させる記録制御部と、前記媒体の長さを検出する媒体長検出部と、前記画像の長さを算出する画像長算出部と、前記媒体への前記画像の記録に際し、前記媒体長検出部により検出された前記媒体の長さと、前記画像長算出部により算出された前記画像の長さと、に基づいて、前記記録開始位置を設定する記録開始位置設定部と、を備えることを特徴とする。  この構成によれば、記録装置は、媒体への画像の記録に際し、媒体の実際の長さと、媒体に記録すべき画像の実際の長さと、に基づいて、記録開始位置を設定可能である。このため、記録装置は、記録開始位置を、媒体の実際の長さ、及び、媒体に記録すべき画像の実際の長さと、媒体において画像を記録すべき領域と、の関係で適切な位置とすることが可能であり、これにより、媒体のサイズにかかわらず、媒体の画像を記録すべき領域に対応する適切な位置に、画像を記録することが可能となる。
【手続補正１０】
【補正対象書類名】明細書
【補正対象項目名】００１１
【補正方法】変更
【補正の内容】
【００１１】
また、上記目的を達成するために、本発明は、媒体の搬送路に設けられた記録ヘッドと、搬送路で搬送方向に前記媒体を搬送する搬送部と、前記記録ヘッド、及び、前記搬送部を制御して、前記媒体の所定の記録開始位置から画像の記録を実行する記録制御部と、を備える記録装置の制御方法であって、前記媒体の長さを検出し、前記画像の長さを算出し、検出した前記媒体の長さと、算出した前記画像の長さと、に基づいて、前記記録開始位置を設定することを特徴とする。
この制御方法によれば、記録装置は、媒体への画像の記録に際し、媒体の実際の長さと、媒体に記録すべき画像の実際の長さと、に基づいて、記録開始位置を設定可能である。このため、記録装置は、記録開始位置を、媒体の実際の長さ、及び、媒体に記録すべき画像の実際の長さと、媒体において画像を記録すべき領域と、の関係で適切な位置とすることが可能であり、これにより、媒体のサイズにかかわらず、媒体の画像を記録すべき領域に対応する適切な位置に、画像を記録することが可能となる。